(57)【要約】【課題】照明カバーを破損させることなく、簡便に取替え作業を行えるエスカレータ用照明カバー装置を得る。【解決手段】照明カバー本体１と、移動手摺欄干内被係合部３に載置係合される照明カバー本体固定係合部４と、リンク機構６により長手方向かつ外側方向にスライド可能に構成され、外側にスライドした時移動手摺欄干内被係合部に載置係合される照明カバー本体可動係合部５と、照明カバー本体の他側上端部に設けられたスライド用スリット穴８と、スライド用スリット穴を挿通して照明カバー本体の外側に突出した部分をスライド操作することにより、照明カバー本体可動係合部をスライドさせる可動係合部移動用つまみ７と、照明カバー本体可動係合部が外側にスライドしてロック箇所に到達した時に、係合して照明カバー本体を移動手摺欄干内被係合部に固定する可動係合部固定部１０とを備える。【選択図】図１
2009166997.tif 000002
【特許請求の範囲】
【請求項１】
移動手摺欄干内に蛍光管を収容し、前記移動手摺欄干の下方開口面を照明カバーで覆うようにしたエスカレータ用照明カバー装置において、
横断面がＵ字状をなすアクリル樹脂製の照明カバー本体と、
前記照明カバー本体の一側上端部を外側に向かって水平に折り曲げ形成され、移動手摺欄干内被係合部の一方に載置係合される照明カバー本体固定係合部と、
前記照明カバー本体の他側上端部にリンク機構により長手方向かつ外側方向に向かってスライド移動可能に構成され、外側にスライド移動された時に前記移動手摺欄干内被係合部の他方に載置係合される照明カバー本体可動係合部と、
前記照明カバー本体の他側上端部付近に長手方向に沿って設けられたスライド用スリット穴と、
前記照明カバー本体可動係合部の下面に設けられ、前記スライド用スリット穴を挿通して前記照明カバー本体の外側に突出した部分をスライド操作することにより、前記照明カバー本体可動係合部をスライド移動させる可動係合部移動用つまみと、
前記可動係合部移動用つまみを操作して、前記照明カバー本体可動係合部が外側にスライド移動してロック箇所に到達した時に、互いに係合して前記照明カバー本体を前記移動手摺欄干内被係合部に固定する可動係合部固定部と、
を備えたことを特徴とするエスカレータ用照明カバー装置。
【請求項２】
可動係合部固定部は、可動係合部移動用つまみの先端部に回転可能に設けられた回転式ストッパーと、この回転式ストッパーを回転させることにより、互いに係合する固定用の凸部及び凹部とから構成されたことを特徴とする請求項１記載のエスカレータ用照明カバー装置。
【請求項３】
可動係合部固定部は、可動係合部移動用つまみの先端部に下向きに折り曲げ可能に設けられた中折れ式ストッパーと、この中折れ式ストッパーを折り曲げることにより、中折れストッパーと係合する係合固定部とから構成されたことを特徴とする請求項１記載のエスカレータ用照明カバー装置。
【請求項４】
可動係合部固定部は、起倒自在に設けられ、起立位置から水平位置に倒すことにより、可動係合部移動用つまみの押し込み側端面を引っ掛けて固定するフック型ストッパーであることを特徴とする請求項１記載のエスカレータ用照明カバー装置。
【発明の詳細な説明】
【技術分野】
【０００１】
この発明は、エスカレータ欄干部に設けられる照明カバーの取替え作業を簡便化したエスカレータ用照明カバー装置に関するものである。
【背景技術】
【０００２】
従来、エスカレータ用照明カバーは、アクリル樹脂から構成されており、アクリル樹脂の撓みを利用することにより、エスカレータ欄干部の設置箇所に取り付け、取り外しを行っていた。
図７、図８は従来のエスカレータ用照明カバー装置を示す。
図において、１は横断面がＵ字状をなす樋形の照明カバー本体で、アクリル樹脂製である。１ａは照明カバー本体１の両側上端部を外側に向かって折り曲げ形成した左右一対の水平係合部、２は照明用の蛍光管、３は蛍光管２を収容した移動手摺欄干内被係合部である。照明カバー本体１の左右一対の水平係合部１ａを移動手摺欄干内被係合部３に載置係合することにより、照明カバー本体１が落下しないように保持している。
上記のように構成された従来の照明カバー装置は、アクリル樹脂製の照明カバー本体１を手で撓ませることで変形させ、移動手摺欄干内被係合部３間の隙間に嵌め込み、照明の保護並びに意匠品質の向上を果たしている。
【０００３】
また、従来技術として、移動手摺をガイドするガイドフレームの下部に長尺のランプを設け、このランプを照明カバーで覆い、この照明カバーをブラケットに取り付ける取付具を、一方がブラケットに螺合する第１ねじ部と、他方が照明カバーの穴部より突出する第２のねじ部とからなるねじ体と、第２のねじ部に螺合し、照明カバーを押える化粧ナットとから構成したマンコンベアの欄干照明装置が知られている（例えば、特許文献１参照）。
【０００４】
【特許文献１】特開２０００−２６４５６５号公報
【発明の開示】
【発明が解決しようとする課題】
【０００５】
従来のエスカレータ用照明カバー装置では、アクリル樹脂の撓みによって嵌め込むため、経年劣化すると、照明カバー本体１が割れ易くなる。また、照明カバー本体１の取替え作業はアウターデッキ側から覗き込んで作業を行う必要があるため、作業性が悪く作業時間の長期化といった問題点があった。
【０００６】
この発明は、上述のような課題を解決するためになされたもので、アクリル樹脂の撓みによって嵌め込むのではなく、係合部をスライドさせて嵌め込むため、照明カバーを破損させることなく、簡便に取替え作業を行うことができるエスカレータ用照明カバー装置を提供するものである。
【課題を解決するための手段】
【０００７】
この発明に係るエスカレータ用照明カバー装置においては、移動手摺欄干内に蛍光管を収容し、移動手摺欄干の下方開口面を照明カバーで覆うようにしたものにおいて、横断面がＵ字状をなすアクリル樹脂製の照明カバー本体と、照明カバー本体の一側上端部を外側に向かって水平に折り曲げ形成され、移動手摺欄干内被係合部の一方に載置係合される照明カバー本体固定係合部と、照明カバー本体の他側上端部にリンク機構により長手方向かつ外側方向に向かってスライド移動可能に構成され、外側にスライド移動された時に移動手摺欄干内被係合部の他方に載置係合される照明カバー本体可動係合部と、照明カバー本体の他側上端部付近に長手方向に沿って設けられたスライド用スリット穴と、照明カバー本体可動係合部の下面に設けられ、スライド用スリット穴を挿通して照明カバー本体の外側に突出した部分をスライド操作することにより、照明カバー本体可動係合部をスライド移動させる可動係合部移動用つまみと、可動係合部移動用つまみを操作して、照明カバー本体可動係合部が外側にスライド移動してロック箇所に到達した時に、互いに係合して照明カバー本体を移動手摺欄干内被係合部に固定する可動係合部固定部とを備えたものである。
【０００８】
また、可動係合部固定部は、可動係合部移動用つまみの先端部に回転可能に設けられた回転式ストッパーと、この回転式ストッパーを回転させることにより、互いに係合する固定用の凸部及び凹部とから構成されたものである。
【０００９】
また、可動係合部固定部は、可動係合部移動用つまみの先端部に下向きに折り曲げ可能に設けられた中折れ式ストッパーと、この中折れ式ストッパーを折り曲げることにより、中折れストッパーと係合する係合固定部とから構成されたものである。
【００１０】
また、可動係合部固定部は、起倒自在に設けられ、起立位置から水平位置に倒すことにより、可動係合部移動用つまみの押し込み側端面を引っ掛けて固定するフック型ストッパーである。
【発明の効果】
【００１１】
この発明によれば、アクリル樹脂の撓みによって嵌め込むのではなく、係合部をスライドさせて嵌め込むため、照明カバーを破損させる恐れがなく、取替え作業時間の短縮化や作業効率の向上を期待することができる。
【発明を実施するための最良の形態】
【００１２】
実施の形態１．
図１はこの発明の実施の形態１におけるエスカレータ用照明カバー装置を部分的に示す斜視図、図２はこの発明の実施の形態１におけるエスカレータ照明カバー装置を示す断面図、図３はこの発明の実施の形態１におけるエスカレータ用照明カバー装置のスライド部の構造を示す斜視図、図４はこの発明の実施の形態１におけるエスカレータ用照明カバー装置の操作つまみの先端部を回転させて固定する様子を示す斜視図である。
【００１３】
図において、１は横断面がＵ字状をなす樋形の照明カバー本体で、アクリル樹脂製である。２は照明用の蛍光管、３は蛍光管２を収容した移動手摺欄干内被係合部である。４は照明カバー本体１の一側上端部を外側に向かって水平に折り曲げ形成した照明カバー本体固定係合部、５は照明カバー本体１の他側上端部にリンク機構６により長手方向かつ外側方向に向かってスライド移動可能に構成された水平の照明カバー本体可動係合部、７は照明カバー本体可動係合部５の下面に固定又は一体的に設けられたＬ字状の可動係合部移動用つまみ、８は照明カバー本体１の他側上端部付近に長手方向に沿って設けられたスライド用スリット穴で、Ｌ字状の可動係合部移動用つまみ７の中間部が挿通され、その先端部が照明カバー本体１の外側に突出している。上記Ｌ字状の可動係合部移動用つまみ７をスライド用スリット穴８に沿って押し付け方向にスライドさせると、照明カバー本体可動係合部５がリンク機構６により長手方向かつ外側方向に向かって水平にスライド移動して、移動手摺欄干内被係合部３に載置係合され、照明カバー本体１を保持する。９は照明カバー本体１の他側上端部におけるスライド用スリット穴８の上下部の位置に突出形成された固定用の凸部、１０はＬ字状の可動係合部移動用つまみ７の先端部に設けられ、可動係合部移動用つまみ７に対して回転自在に構成された照明カバー本体可動係合部５の回転式ストッパーである。この回転式ストッパー１０は、照明カバー本体１の可動係合部５が移動手摺欄干内被係合部３に載置係合されてロック箇所に到達した時、図４に示すように、回転式ストッパー１０を９０度回転させることにより、照明カバー本体１の他側上端部におけるスライド用スリット穴８の上下部の位置に形成された固定用の凸部９に嵌め合わされる固定用の凹部１１が設けられており、この固定用の凸部９及び凹部１１が互いに係合することにより、照明カバー本体１を移動手摺欄干内被係合部３に固定する仕組みとなっている。上記回転式ストッパー１０、固定用の凸部９及び凹部１１が可動係合部固定部を構成している。
【００１４】
この実施の形態１によれば、照明カバーをアクリル樹脂の撓みによって嵌め込むのではなく、一方の可動係合部をスライドさせて嵌め込むため、照明カバーを破損させる恐れがなく、取替え作業時間の短縮化や作業効率の向上を期待することができる。
【００１５】
実施の形態２．
図５はこの発明の実施の形態２におけるエスカレータ用照明カバー装置の操作つまみの先端部を直角に折り曲げて固定する様子を示す斜視図である。
【００１６】
１〜８の構成は実施の形態１とほぼ同一であるので、説明を省略する。この実施の形態２において、１２はＬ字状の可動係合部移動用つまみ７の先端部に設けられ、可動係合部移動用つまみ７に対して中折れ式に構成された中折れ式ストッパーである。１３は照明カバー本体１の他側上端部におけるスライド用スリット穴８付近に形成された係合固定部である。上記中折れ式ストッパー１２は、照明カバー本体１の可動係合部５が移動手摺欄干内被係合部３に載置係合されてロック箇所に到達した時、図５に示すように、中折れ式ストッパー１２を下向きに直角に折り曲げることにより、照明カバー本体１の他側上端部におけるスライド用スリット穴８付近に形成された係合固定部１３で保持させており、中折れ式ストッパー１２と係合固定部１３とが係合することにより、照明カバー本体１を移動手摺欄干内被係合部３に固定する仕組みとなっている。上記中折れ式ストッパー１２と係合固定部１３が可動係合部固定部を構成している。
【００１７】
実施の形態３．
図６はこの発明の実施の形態３におけるエスカレータ用照明カバー装置の操作つまみの押し込み側端面にフック型ストッパーを引っ掛けて固定する様子を示す斜視図である。
【００１８】
１〜８の構成は実施の形態１とほぼ同一であるので、説明を省略する。この実施の形態３において、１４はＬ字状の可動係合部移動用つまみ７の押し込み側端面を引っ掛けて固定するフック式ストッパーで、起倒自在に設けられている。上記フック式ストッパー１４は、スライド照明カバー本体１の可動係合部５が移動手摺欄干内被係合部３に載置係合されてロック箇所に到達した時、図６に示すように、フック式ストッパー１４を起立位置から水平位置に倒すことにより、フック式ストッパー１４の先端フック部１５が可動係合部移動用つまみ７の押し込み側端面を引っ掛けて固定する。これにより照明カバー本体１を移動手摺欄干内被係合部３に固定する仕組みとなっている。上記フック式ストッパー１４が可動係合部固定部を構成している。
【図面の簡単な説明】
【００１９】
【図１】この発明の実施の形態１におけるエスカレータ用照明カバー装置を部分的に示す斜視図である。
【図２】この発明の実施の形態１におけるエスカレータ用照明カバー装置を示す断面図である。
【図３】この発明の実施の形態１におけるエスカレータ用照明カバー装置のスライド部の構造を示す斜視図である。
【図４】この発明の実施の形態１におけるエスカレータ用照明カバー装置の操作つまみの先端部を回転させて固定する様子を示す斜視図である。
【図５】この発明の実施の形態２におけるエスカレータ用照明カバー装置の操作つまみの先端部を直角に折り曲げて固定する様子を示す斜視図である。
【図６】この発明の実施の形態３におけるエスカレータ用照明カバー装置の操作つまみの押し込み側端面にフック型ストッパーを引っ掛けて固定する様子を示す斜視図である。
【図７】従来のエスカレータ用照明カバー装置を部分的に示す斜視図である。
【図８】従来のエスカレータ用照明カバー装置を示す断面図である。
【符号の説明】
【００２０】
１  照明カバー本体
２  蛍光管
３  移動手摺欄干内被係合部
４  照明カバー本体固定係合部
５  照明カバー本体可動係合部
６  リンク機構
７  可動係合部移動用つまみ
８  スライド用スリット穴
９  固定用の凸部
１０  回転式ストッパー
１１  固定用の凹部
１２  中折れ式ストッパー
１３  係合固定部
１４  フック式ストッパー
１５  先端フック部
【図１】
2009166997.tif 000003
【図２】
2009166997.tif 000004
【図３】
2009166997.tif 000005
【図４】
2009166997.tif 000006
【図５】
2009166997.tif 000007
【図６】
2009166997.tif 000008
【図７】
2009166997.tif 000009
【図８】
2009166997.tif 000010